(57)【特許請求の範囲】
【請求項１】
中空支持体内に収納して支持される光コネクタの一端に、光通信網の光ケーブル終端部が接続され、前記中空支持体の側面に穿設された開口部を跨いで可搬局のジャックを前記光コネクタの他端に接続させることによって光通信を可能にする情報通信用コンセントであって、前記開口部を塞いで開閉を規制する第１の扉と、当該第１の扉の一部が切欠かれて前記ジャックが接続されるときに当該ジャックが嵌挿可能に形成された切欠部に、前記ジャックが接続されないときに該切欠部を塞ぐことができるように取り付けられた第２の扉とが具備され、前記第１の扉は、上下に２分する接合部を境に観音開きする上下扉であって、前記接合部に切欠部が形成され、前記光コネクタに接続された前記ジャックを当該切欠部に嵌挿させて閉鎖する上扉と、前記接続ジャックの下面近傍を回動して閉じる下扉とからなることを特徴とする光線路の端末構造。
【請求項２】
前記第１の扉は、上下に２分する接合部を境に観音開きする上下扉であって、前記接合部に切欠部が形成され、前記光コネクタに接続された前記ジャックを当該切欠部に嵌挿させて閉鎖する上扉が、前記接続ジャックの下面近傍を回動して閉じる下扉を押止して開口部を塞ぐようになされ、且つ塞がれた開口部の前記上下扉の下扉にヒンジを介して取り付けられ、扉の前面側から回動させて前記切欠部に嵌設するようになされた第２の扉が、前記上扉によって押止されることで開扉を抑制されるように成されたことを特徴とする請求項１記載の光線路の端末構造。
【請求項３】
中空支持体内に収納して支持される光コネクタの一端に、光通信網の光ケーブル終端部が接続され、前記中空支持体の側面に穿設された開口部を跨いで可搬局のジャックを前記光コネクタの他端に接続させることによって光通信を可能にする情報通信用コンセントであって、開口部を塞いで開閉を規制する扉は、上下に２分する接合部を境に分割され、上扉は開口部に沿って上下に摺動可能な構造、下扉は観音開きするようになされ、前記接合部には上扉、下扉それぞれに切欠部が形成され、前記光コネクタに接続された前記ジャックを当該上扉の切欠部と下扉の切欠き部とに嵌挿させて閉鎖する上扉が、前記接続ジャックの下面近傍を回動して閉じる下扉を押止して開口部を塞ぐようになされたことを特徴とする光線路の端末構造。
【請求項４】
中空支持体の側面に穿設された開口部は、開閉を規制する扉の側に筒状の突出部が設けられ、該突出部の先端が外向きに折り返され、開口部を塞いで開閉を規制する扉と略均一に接する平面状の戸当たり部となされていることを特徴とする請求項１〜３のいずれかに記載の光線路の端末構造。
【請求項５】
前記中空支持体が道路標識であることを特徴とする請求項１〜４のいずれかに記載の光線路の端末構造。
【発明の詳細な説明】
【０００１】
【発明の属する技術分野】
本発明は持ち歩いて通信情報を授受することができる、所謂可搬局を接続させる情報通信用コンセントに関するもので、詳しくは光通信に於ける光線路の端末構造に関するものである。
【０００２】
【従来の技術】
従来、この種の光線路の端末構造としては、例えば地面に立設された上面が開口可能な筒状支持体内部に、光ケーブルの終端部が地下から立ち上げられ、この終端部に可搬局と接続する光コネクタが取り付けられて支持体内に収納固定され、蓋が被せられている。そして本施設を使用する際にはボルトを緩めて前記光コネクタ部を上方に引き上げ、光コネクタ部が露出した状態で可搬局と接続させるものがある。また特開平１０−９０５７３号公報の記載によると、地上に立設された支持体上部が分割面を境にして上下に分離可能となし、分割上面のキャップに格納保護された光端末のコンセント部が、前記キャップを上方に分離させたときにコンセント部を側面から覗かせて可搬局と接続するようになされ、キャップを下方向に摺動させて支持体本体と一体化することにより、前記コンセント部を覆って水密性を維持し、且つキャップが前記支持体本体に昇降自在に設けられた支持軸がロック機構となって、特殊なハンドルを使わないと開けられない構造としたものがある。
【０００３】
【発明が解決しようとする課題】
しかしながら上記の第１の従来技術は、一般的なボルトの締結によって蓋が閉められているために、誰でも容易に開けることができることから、いたずらによって壊されることがあり、緊急時などの必要なときに故障に気付いて使えないといった事態を招きかねない。また、通信する際にケースに内蔵されている光コネクタを上方に引き上げて接続部が露出された状態で前記可搬局と接続されるために、障害物などが直接接続部に当たることは避けられず、その結果、接続部が外れたり壊れて使えなくなってしまう。また天気の悪い状況下では雨水や雪を被ってしまうために、通信に支障を来すのみならず、施設内が浸水して耐用できないといった問題がある。そのために数日間接続したままに放置するなどといった場合には、別途雨露を凌ぐ屋根施設を設けたり、その間の保安施設を充実させる必要が生じてくる。
【０００４】
一方、第２の従来技術は、特製のハンドルを使うことによってはじめてキャップが開くロック構造を有し、水密状態で密閉されてコンセント部が支持体本体に格納保護されているので、閉ざされた状態ではいたずらによる損壊を未然に防止することができるが、支持体本体から摺動分離させて上方にキャップを開けることによって、キャップ内に収納されたコンセントがキャップの側面から覗かせて、可搬局と接続するようになされているが、災害時など可搬局が数日間接続を保って情報のやりとりをしなければならないときに、その間の維持管理が徹底できないといった問題がある。即ち、災害時などの緊急連絡などに用いられる本施設は、昼夜を問わず接続したままの状態で情報を交換するので、その間に強い雨や雪が吹き荒れるとキャップの中に雨水が吹き込んでしまって、通信に支障を来してしまうといったことがあったり、或いはその間の不心得ないたずらによる被害を未然に防止することが出来ない。
【０００５】
そこで、本発明は上記の如き問題を解決し、使用時でも雨水や積雪による影響を受けず、またいたずらによって被害を被らない光線路の端末構造を提供するものである。
【０００６】
【課題を解決するための手段】
上記目的を達成するために、本発明は次のような構成としている。即ちこの発明に係る光線路の端末構造は、中空支持体内に収納して支持される光コネクタの一端に、光通信網の光ケーブル終端部が接続され、前記中空支持体の側面に穿設された開口部を跨いで可搬局のジャックを前記光コネクタの他端に接続させることによって光通信を可能にする情報通信用コンセントであって、前記開口部を塞いで開閉を規制する第１の扉と、当該第１の扉の一部が切欠かれて前記ジャックが接続されるときに当該ジャックが嵌挿可能に形成された切欠部に、前記ジャックが接続されないときに該切欠部を塞ぐことができるように取り付けられた第２の扉とが具備され、前記第１の扉は、上下に２分する接合部を境に観音開きする上下扉であって、前記接合部に切欠部が形成され、前記光コネクタに接続された前記ジャックを当該切欠部に嵌挿させて閉鎖する上扉と、前記接続ジャックの下面近傍を回動して閉じる下扉とからなることを特徴とするものである。
【０００７】
本発明によれば、中空支持体の中に光通信網の光ケーブル終端部が配設されて、その終端部に光コネクタが取り付けられ、その光コネクタが中空支持体の側面に穿設された開口部に向けて支持されるので、可搬局のジャックを光コネクタに接続させることがいたって容易であり、接続作業時に少々の雨が降っていても接続部が支持体内部に収容されているので濡れることがない。また、前記開口部には、可搬局のジャックが光コネクタに接続されて通信が維持された状態であっても、開口部から突出する前記ジャックを妨げないように開口部を遮蔽する扉が取り付けられ、また前記ジャックが光コネクタと接続されないときでも、前記扉によって開口部を遮蔽することができるので、雨や雪の被害に遭うことなく通信することができ、更にいたずらによる通信妨害をも防ぐことが出来る。
【０００８】
尚、前記第１の扉は、上下に２分する接合部を境に観音開きする上下扉であって、前記接合部に切欠部が形成され、前記光コネクタに接続された前記ジャックを当該切欠部に嵌挿させて閉鎖する上扉が、前記接続ジャックの下面近傍を回動して閉じる下扉を押止して開口部を塞ぐようになされ、且つ塞がれた開口部の前記上下扉の下扉にヒンジを介して取り付けられ、扉の前面側から回動させて前記切欠部に嵌設するようになされた第２の扉が、前記上扉によって押止されることで開扉を抑制されるように成されるとよい。
【０００９】
本発明によれば、上下に接する２枚の板体が接合部を境にして上下方向に観音開きするようになされた開閉扉が、光コネクタに接続する可搬局のジャックを保持した状態で閉鎖することができるように、上扉の前記接合部に切欠部を形成させて前記ジャックを切欠部に嵌挿させ、下扉で下方の開口部を塞ぐように成されたものである。係る開口部が広く採られるのは、可搬局のジャックが接続し易いように、またメンテナンスを容易にするための作業性を考慮したものである。
【００１０】
また光コネクタに可搬局のジャックを接続しないときには、前記切欠部を補完して塞ぐことができる第２の扉が下扉の上部などにヒンジ構造で取り付けられるので、開口部は完全に塞がれて雨水や埃などが入り込むことがない。更に前記下扉と前記第２の扉が前記上扉に抑止されて閉じられる形態になされるので、上扉に施錠機構を設けることによって可搬局のジャックが接続された状態であっても、また接続されなくても開口部を塞いで開けられないようにすることができ、また緊急時の対応にも鍵ひとつで容易に接続することが出来る。よって、常に雨風に曝されることがあっても通信に悪影響を及ぼすことはなく、また不心得ないたづらの回避にもなる。
【００１１】
また、上記目的を達成するために、本発明は次のような構成としてもよい。即ち、中空支持体内に収納して支持される光コネクタの一端に、光通信網の光ケーブル終端部が接続され、前記中空支持体の側面に穿設された開口部を跨いで可搬局のジャックを前記光コネクタの他端に接続させることによって光通信を可能にする情報通信用コンセントであって、開口部を塞いで開閉を規制する扉は、上下に２分する接合部を境に分割され、上扉は開口部に沿って上下に摺動可能な構造、下扉は観音開きするようになされ、前記接合部には上扉、下扉それぞれに切欠部が形成され、前記光コネクタに接続された前記ジャックを当該上扉の切欠部と下扉の切欠き部とに嵌挿させて閉鎖する上扉が、前記接続ジャックの下面近傍を回動して閉じる下扉を押止して開口部を塞ぐようになされたものである。
【００１２】
本発明によれば、上扉が上下に摺動可能となされていることで、上扉を観音開きとしたものと較べ、ヒンジが不要となり構造が簡略化できる。また、ヒンジを用いたものより壊れにくいものとなる。また、可搬ジャックの接続時に、上扉を下に摺動して閉扉出来ることで、上扉の自重により切欠部を前記ジャックに押しつけた状態で閉扉されることから、より高い降雨等からの保護効果が得られる。
【００１３】
また、中空支持体の側面に穿設された開口部は、開閉を規制する扉の側に筒状の突出部が設けられ、該突出部の先端が外向きに折り返され、開口部を塞いで開閉を規制する扉と略均一に接する平面状の戸当たり部となされていることが、閉扉時の防水性をより高める上で好ましい。
【００１４】
尚、可搬局のジャックの頭部が前記切欠部よりも大きく拡径されていれば、前記切欠部に前記拡径頭部が係止されるので、供用時には可搬局のジャックを光コネクタから抜き取れなくなって光通信を寸断することなく接続状態を維持させることができる。
【００１５】
本発明に係わる中空支持体は、道路標識として好適に用いることができる。情報通信用コンセントは、例えば災害時に道路の状況を管理局に伝達する用途に用いられる場合、光ケーブルの終端部は道路周辺に設けられる必要があり、道路周辺に設けられる道路標識に併設されることは好ましい。更には、道路標識は構造的に比較的強固なものであり、中空支持体として好適なものである。
【００１６】
【発明の実施の形態】
次に、本発明の実施の形態について図面を参照し、具体的に説明する。まず図１は本発明の実施の一形態を示す主要部断面図であり、図２は図１の開口部を塞ぐ扉の正面図（イ）と、通信状態にないときの扉（ロ）及び通信状態にあるときの扉（ハ）を示す断面図である。そして、図３は本発明の実施の一形態が取り付けられた距離標の設置図である。
【００１７】
図１〜３において、路側に立設する中空支持体の距離標１の外側面に、基準地点から設置地点までの距離などを表す地点標示された標示板１１が貼着されていて、他の一側面には開口部２が穿設されて、この開口部２を塞ぐ第１の扉が上下に２分する上扉３と下扉４によって、接合部を境にして上下方向に観音開きするように、開口部２の上部周縁と下部周縁にそれぞれヒンジ４２を介して取り付けられている。
【００１８】
一方、光通信網の終端部５が地下から延設して前記距離標内に立ち上げ、その終端部５に光コネクタ５１を光通信可能に取り付け、その接続部５１ａが前記開口部２の外方略水平を向くようにして前記距離標１内部に設けられた支持面１２にネジ１３によって固定されている。
【００１９】
そして前記光コネクタ５１の接続部５１ａに、情報を授受できる可搬局６のジャック６１が前記開口部２を跨いで光コネクタ５１に接続される。また前記ジャック６１の頭部６１ａが少なくとも開口部断面の内部に収まるようになされ、且つその状態で前記下扉４を回動させて閉めると、下扉４の前記接合部が接続された前記ジャック６１の下面近傍を通って閉まる。一方上扉３が下方に回動させて閉まるときに、上扉３の前記接合部に形成された切欠部３１に前記接続されたジャック６１が嵌挿されて、上下扉の接合部が相互に接合して開口部を塞ぐようになされている。
【００２０】
上記可搬局のジャック６１が光コネクタ５１に接続された状態で、前記開口部２を上扉３と下扉４に分割させて塞ぐようになされると、接続作業時に雨が降っていても上扉３が庇となって雨滴などの侵入を防いでくれる上、上下の扉が開口部２いっぱいに広がるので、ジャック６１先端のネジを光コネクタ５１に螺入するときに手を入れるスペースが得られるので作業し易い。そのため、上扉３が上方に開けておけるように開口部２と上扉３間を支持する支持棒が設けられたり、又は上扉３のヒンジ４２部分に開扉を司るスプリング３３が設けられている。
【００２１】
また、悪天候のときでも開口部２から水滴が入り込まないように、上下扉と開口部２との当接部分に水滴などの侵入を防ぐ凹凸構造がなされたり、パッキンを介するなどの工夫がなされている。更に、前記切欠部３１にもパッキンが設けられて前記ジャック６１との隙間を埋めるようになされると、水密性が高まるのでよい。尚、前記光コネクタ５１にジャック６１が略水平に接続されているので、雨滴がジャック６１に伝って中に侵入する可能性があるので、前記光コネクタ５１の取付角度を少なくとも俯き加減に固定させることによって、ジャック６１の接続角度が雨滴を避ける方向に傾くので、また、配線の垂下に無理が生じなくなるのでよい。
【００２２】
また、前記ジャック６１が接続される頭部６１ａが前記切欠部３１よりも大きく拡径されていれば、前記上下扉を閉めることによって前記ジャック６１の頭部６１ａが切欠部３１に係止されて抜けなくなるのでよい。
【００２３】
更に前記切欠部３１には切欠部３１を補完する形状の第２の扉７が下扉４の前記接合部にヒンジ４２を介して取り付けられて、前記切欠部３１を塞ぐようになされているので、前記ジャック６１が光コネクタ５１に接続されないときには、第２の扉７は上方に回動されて前記切欠部３１に嵌合し切欠部３１を塞ぐようになされ、また前記ジャック６１が接続されるときには下扉４の外面方向に折り畳むようになされる。
【００２４】
そして前記下扉４と前記第２の扉７の上扉３と接する端部背面側から、背面に沿って外方に延伸する抑止板４１、７１が形成されている。前記ジャック６１の接続時には前記下扉４の抑止板４１が上扉３によって押止されて開かなくし、また前記ジャック６１の非接続時には下扉４と第２の扉７の抑止板４１，７１が上扉によって押止されて開かなくすることによって、上扉３に設けられたカギ３２を施錠すれば開口部２を開扉出来なくすることができる。
【００２５】
前記上扉が下扉と第２の扉を押止して開扉しなくする形態は、必ずしも上記の形態に限定されるものではなく、前記抑止板が上扉の前面に形成されて下扉と第２の扉を前面から抑止させてもよい。また上扉と下扉との役割を替えて下扉に切欠部が形成され、下扉にカギが設けられるように成されても構わない。
【００２６】
図４は、本発明の実施の一形態で、上扉は開口部に沿って上下に摺動可能な構造、下扉は観音開きするようになされ、前記接合部には上扉、下扉それぞれに切欠部が形成され、光コネクタに接続されたジャックを切欠部に嵌挿させて閉鎖する上扉が、前記接続ジャックの下面近傍を回動して閉じる下扉を押止して開口部を塞ぐようになされたものの、ジャックの接続を行う過程を示す正面図である。
【００２７】
ａ）は開口部が塞がれた状態を示すもので、開口部を塞いで開閉を規制する扉は、上扉３及び下扉４から形成されており、上扉の下端及び下扉の上端には、それぞれ切欠部３１及び４３が設けられている。下扉の上端付近には、上扉の下端付近が覆い被さり、上扉３が閉ざされた状態では下扉４は開くことがない。また、切欠部３１及び４３を設けても、閉められた状態ではそれぞれ下扉、上扉により開口されることがない。また、上扉３には、いたずら防止用にカギ３２が取り付けられている。
【００２８】
ｂ）はジャックの接続に際して、上扉３を開けた状態を示すもので、上扉３はレール３４により、開口部２に沿って上下に摺動可能となされており、ジャックの接続に際しては上方に摺動してジャックの接続に係わる空間を形成する。またレール３４には、カギ３２がかかるよう、カギ穴３２１、３２２が設けられ、開口部２が塞がれた状態では、カギ３２はカギ穴３２２にかけられ、ジャックが接続された状態ではカギ３２はカギ穴３２１にかけられる。また、下扉４の切欠部４３の幅は、光コネクタ５１の接続部５１ａの直径とほぼ近似したものとされている。
【００２９】
更に、観音開きとされた下扉４が開けられた状態がｃ）に示すものである。上扉３が上方に摺動され、下扉４が前方に観音開きすることで、接続部５１ａの周辺にスペースができ、ジャック６１の接続が容易なものとされる。
【００３０】
ｄ）は、ジャック６１が接続された状態で、上下扉が閉まった状態を示すものである。ｃ）に示した状態から、下扉４が閉められ、次に上扉３が閉められることから、上扉３の下端付近に、下扉４の上端付近が押さえ付けられて、下扉４は開くことがなくなる。更には、上扉３の切欠部３１及び下扉の切欠部４３にジャック６１が挟まれることで、接続部５１ａ付近の防水性は確保される。
【００３１】
図５は、本発明に係わる実施の一形態を示すもので、開口部２に筒状の突出部が設けられ、該突出部の先端が外向きに折り返され、開口部を塞いで開閉を規制する扉と略均一に接する平面状の戸当たり部となされているものである。
【００３２】
ａ）は正面図であり、距離標１の側面に穿設された開口部２に開閉を規制する上扉３及び下扉４が設けられ、距離標１の内部には光コネクタ５１の接続部５１ａが設けられ、この接続部５１ａにジャック６１が接続されることで可搬局は光通信を行うことが可能となる。また、下扉４には第２の扉７が設けられ、閉じた状態での密閉性を確保している。開口部の廻りには平面状の戸当たり部２２が設けられている。
【００３３】
ｂ）は側面図を示すもので、開口部２から筒状に設けられた突出部２１の先端は、直角に折り曲げられて平面状の戸当たり部２２となされており、この戸当たり部２２は上扉３及び下扉４とほぼ均一に接することで、密閉性をより高めている。
【００３４】
また、本発明の光線路の端末構造が取り付けられる中空支持体は、道路に設置される距離標や視線誘導標、各種標識支柱などの道路標識体以外に、例えば道路照明柱や橋の高欄親柱、その他道路や公園などの公共場所に設置される構築物にも取り付けることができる。
【００３５】
【発明の効果】
本発明の光線路の端末構造が距離標など路面に立設する支持体内部に取り付けられているので、少々の積雪や集中豪雨を受けても浸水や埋没によって使えなくなることはない。また、支持体側面に開口部が広く穿設されているので、可搬局の着脱が容易であり、前記開口部を塞ぐ扉が上下に開閉するようになされているので、少々の雨が降っていても接続部が濡れない。更に、通信されないときはもとより、可搬局が接続されているときでも、開口部が塞がれて施錠されているので、悪天候による影響やいたずらによって通信を阻害するようなことがなく、また損壊を受けない。
【図面の簡単な説明】
【図１】本発明の実施の一形態を示す主要部断面図である。
【図２】本発明の実施の一形態を示す図１の開口部を塞ぐ扉の正面図（イ）と、通信状態にないときの扉（ロ）及び通信状態にあるときの扉（ハ）を示す断面図である。
【図３】本発明の実施の一形態が取り付けられた距離標の設置図である。
【図４】本発明の実施の一形態の開口部付近を示す正面図である。
【図５】本発明の実施の一形態の開口部を示す正面図及び断面図である。
【符号の説明】
１    距離標
１１  標示板
１２  支持面
１３  ネジ
２    開口部
２１  突出部
２２  戸当たり部
３    上扉
３１  切欠部
３２  カギ
３２１、３２２  カギ穴
３３  スプリング
３４  レール
４    下扉
４１  抑止板
４２  ヒンジ
５    光通信網の終端部
５１  光コネクタ
５１ａ  接続部
６    可搬局
６１  ジャック
６１ａ  頭部
７    第２の扉
７１  抑止板
【図１】
0003899248.tif 000002
【図２】
0003899248.tif 000003
【図３】
0003899248.tif 000004
【図４】
0003899248.tif 000005
【図５】
0003899248.tif 000006